(57)【特許請求の範囲】
【請求項１】
放送局側から供給された受信者を識別するための個人識別コードを含む個別情報を供給する情報供給手段と、
受信者を判別するための利用者設定コードを含む付加情報がそれぞれに付加された複数の映像信号を含む放送信号を少なくとも受信する受信手段と、
上記放送信号を分離し、上記付加情報と上記複数の映像信号を出力する分離手段と、
上記分離手段により分離された上記付加情報内の利用者設定コードと、上記情報供給手段からの上記個別情報内の上記個人識別コードとを照合することにより選択可能な映像信号を決定し、対応するチャネル選択信号を自動的に発生する自動選択信号発生手段と、
上記分離手段より出力される上記複数の映像信号のうち、いずれかを上記チャネル選択信号で選択する信号選択手段とを有する
ことを特徴とする信号選択装置。
【請求項２】
手動によってチャネル選択信号を発生する手動選択信号発生手段と、
上記自動選択信号発生手段で発生されたチャネル選択信号と上記手動選択信号発生手段で発生されたチャネル選択信号を切り換える信号切換手段とを有する
ことを特徴とする請求項１記載の信号選択装置。
【請求項３】
上記自動選択信号発生手段は、選択可能な映像信号から優先する映像信号を時間帯に応じて決定し、対応するチャネル選択信号を自動的に発生する
ことを特徴とする請求項１記載の信号選択装置。
【請求項４】
放送局側から供給された受信者を識別するための個人識別コードを含む個別情報を供給し、
受信者を判別するための利用者設定コードを含む付加情報がそれぞれ付加された複数の映像信号を含む放送信号を少なくとも受信し、
上記放送信号を分離し、上記付加情報と上記複数の映像信号を出力し、
分離された上記付加情報内の利用者設定コードと、供給された上記個別情報内の個人識別コードとを照合することにより選択可能な映像信号を決定し、対応するチャネル選択信号を自動的に発生し、
上記複数の映像信号のうち、いずれかを上記チャネル選択信号で選択する
ことを特徴とする信号選択方法。
【請求項５】
操作部により上記映像信号の手動選択が選択されると、上記複数の映像信号のうちいずれかを、当該操作部の操作により設定されたチャネル選択信号で選択し、
上記操作部により上記映像信号の自動選択が選択されると、上記複数の映像信号のうちいずれかを、上記自動選択信号発生手段により発生されたチャネル選択信号で選択する
ことを特徴とする請求項４に記載の信号選択方法。
【請求項６】
選択可能な映像信号から優先する映像信号を時間帯に応じて決定し、対応するチャネル選択信号を自動的に発生する
ことを特徴とする請求項４記載の信号選択方法。
【発明の詳細な説明】
【０００１】
【発明の属する技術分野】
この発明は、ＩＳＤＢ放送システムなどに適用して好適な信号選択装置および信号選択方法に関する。詳しくは、送信されてくる制御信号と個別情報を照合してチャネル選択信号を発生させて、複数の情報信号からの情報信号の選択を容易とするものである。
【０００２】
【従来の技術】
ディジタル技術の発展に伴い、放送界でも放送信号を含めた各種情報をディジタル化した統合ディジタル放送システム（ＩＳＤＢ（Integrated Services Digital Broadcasting）システムという）が研究・開発されている。
【０００３】
具体的には、このＩＳＤＢシステムとは現行の放送信号（標準テレビジョン信号、ハイビジョン信号）を始めとして、ソフトウエアやファクシミリなどのデータ、さらには音声、文字、図形、画像などのマルチメディア情報をそれぞれディジタル化（符号化）し、それらを統合多重化した上で、伝送形態に合致した変調処理を施して送信するようにした放送システムのことである。
【０００４】
放送信号を含めた各種情報を統合多重化する場合、これらの情報の他に受信側での制御情報として使用する付加情報も同時に統合多重化されて送信することができる。統合化されたＩＳＤＢ用放送信号（ディジタル信号）は、衛星波、光ケーブルなどを利用して送信される。
【０００５】
受信端末側では、統合化されたＩＳＤＢ用放送信号を受信して目的の信号を弁別することによってそれをモニタに表示させて通常のテレビ放送として楽しむことができることは勿論、記録手段を用いて記録（保存）したり、他の端末に転送したりすることができる。さらに受信した付加情報を利用すれば、モニタ制御、記録制御さらにはモニタされた画像に対する加工制御など、ユーザの好みに応じて受信情報を利用できることになる。つまり、ユーザの嗜好に合わせた柔軟な放送システムを構築できる。
【０００６】
したがってこのＩＳＤＢシステムを利用すれば、送信される付加情報が多種、多様になる程、ユーザに対するサービス内容が向上し、より双方向的な放送システムを構築できる。
【０００７】
【発明が解決しようとする課題】
ところで、このようなＩＳＤＢ用放送信号等を伝送する信号伝送装置では、きわめて多数の情報信号が利用者に向けて伝送される。このため、利用者は、この多数の情報信号の中から必要とする情報信号、あるいは必要とされる情報信号を直接的に指定して選択しなければならず、信号の選択操作が煩雑となる。
【０００８】
そこで、この発明では多数の情報信号の中から情報信号を容易に選択することができる信号選択装置および信号選択方法を供給するものである。
【０００９】
【課題を解決するための手段】
この発明に係る信号選択装置は、放送局側から供給された受信者を識別するための個人識別コードを含む個別情報を供給する情報供給手段と、受信者を判別するための利用者設定コードを含む付加情報がそれぞれに付加された複数の映像信号を含む放送信号を少なくとも受信する受信手段と、放送信号を分離し、付加情報と複数の映像信号を出力する分離手段と、分離手段により分離された付加情報内の利用者設定コードと、情報供給手段からの個別情報内の個人識別コードとを照合することにより選択可能な映像信号を決定し、対応するチャネル選択信号を自動的に発生する自動選択信号発生手段と、分離手段より出力される複数の映像信号のうち、いずれかをチャネル選択信号で選択する信号選択手段とを有するものである。手動によってチャネル選択信号を発生する手動選択信号発生手段と、自動選択信号発生手段で発生されたチャネル選択信号と手動選択信号発生手段で発生されたチャネル選択信号を切り換える信号切換手段とを有するものである。
【００１０】
この発明に係る信号選択方法は、放送局側から供給された受信者を識別するための個人識別コードを含む個別情報を供給し、受信者を判別するための利用者設定コードを含む付加情報がそれぞれ付加された複数の映像信号を含む放送信号を少なくとも受信し、放送信号を分離し、付加情報と複数の映像信号を出力し、分離された付加情報内の利用者設定コードと、供給された個別情報内の個人識別コードとを照合することにより選択可能な映像信号を決定し、対応するチャネル選択信号を自動的に発生し、複数の映像信号のうち、いずれかをチャネル選択信号で選択するものである。
【００１１】
この発明においては、送信されてくる情報信号の付加情報と与えられた個別情報を照合して選択する番組を設定するためのチャネル選択信号が発生される。この発生されたチャネル選択信号に基づき、送信されてくる複数の情報信号から個別情報に応じた情報信号が選択される。
【００１２】
【発明の実施の形態】
続いて、この発明に係る信号選択装置について、図面を参照して詳細に説明する。
【００１３】
図１は、この発明に係る信号選択装置で選択する情報信号を送信する信号送信装置の一形態を示す要部の構成図であって、本例では説明の便宜上統合されて送信される情報としては、多チャネル多重番組の放送信号であるものとする。そのそれぞれには制御情報などの付加情報が付加されて多重化される。この付加情報は多種多様な情報が考えられ、例えば放送信号を利用できる受信者を判別するための利用者設定コードが付加される。
【００１４】
図１において、端子１１-1aには放送信号のうち映像信号ＳＶＮが、端子１１-1bにはそれに付随した音声信号ＳＡＮが供給され、符号化部１２-1で圧縮などを含めた適切な符号化処理が施されて符号化情報とされる。この符号化処理に同期して付加情報発生手段１３-1が動作して、制御情報や利用者設定コードなどの付加情報が生成される。この符号化情報および付加情報は多重化部２０に供給される。
【００１５】
この多重化部２０には、端子１１-2a〜１１-na，１１-2b〜１１-nbに供給された信号に基づき符号化部１２-2〜１２-nや付加情報発生手段１３-2〜１３-nで生成された符号化情報や付加情報が供給されており、これらの情報がパケット化される。例えば、図２に示すように符号化情報とこの符号化情報の管理データであるヘッダでデータグループが構成される。このとき、ヘッダには付加情報が含まれる。
【００１６】
このデータグループがパケット化されてパケットデータと、このパケットデータに対するパケットヘッダが付加されてパケットが生成される。さらに、このパケットには、例えば誤り訂正符号が付加される。このようにして生成されたパケットは、他のデータグループのパケットが直交する方向に、すなわちスロット１からスロットＮまでのパケットが選択されて伝送フレームとして多重化される。さらに、伝送フレームに同期信号が付加されてビットストリームが形成される。
【００１７】
なお、付加情報をパケット化して例えばスロットＡとし、符号化情報のパケットや他のパケットであるスロット１からスロットＮまでのパケットを選択して伝送フレームとして多重化してもよい。
【００１８】
多重化部２０からの多重化データは信号変調部２１で送信手段（例えば放送衛星）に適した送信形態となされたＩＳＤＢ用放送信号に変調されたのち、この例ではアップコンバータ２２を経て送信アンテナ（パラボラアンテナ）２３で放送衛星に向けて送信される。
【００１９】
図３は、この発明に係る信号選択装置の実施の一形態の構成を示す図であり、例えば上述したようなＩＳＤＢ用放送信号を受信して放送信号を選択するものである。
【００２０】
受信アンテナ（パラボラアンテナ）３１で受信した衛星波はダウンコンバータ３２によって１ＧＨｚ帯にダウンコンバートされ、その後ＩＳＤＢ用チューナ３３に供給されて選局処理が行なわれる。
【００２１】
選局されたＩＳＤＢ用放送信号は信号復調部３４に供給されて復調されてから、分離部５１に供給される。分離部５１では、信号復調部３４からの復調信号ＤＭＳが分離されると共に復号化処理が行われる。この分離部５１で得られた付加情報ＦＤは自動選択信号発生部５２に供給される。また復号化された複数の放送信号ＨＳは信号選択部５３に供給される。
【００２２】
ところで、ＩＳＤＢ用放送信号を受信する利用者には、ＩＳＤＢ用放送信号を送信する放送局から個別情報として個人識別コードが、例えば磁気カードやＩＣ（integrated circuit）カード等の形態で与えられる。この個人識別コードＩＤは、カードリーダー等を用いて構成された情報供給部５４によって読み出されて自動選択信号発生部５２に供給される。このように、個別情報が識別コードとして与えられるので個別情報を容易に自動選択信号発生部５２に供給することができる。
【００２３】
自動選択信号発生部５２では、分離部５１から供給された付加情報ＦＤと情報供給部５４から供給された個人識別コードＩＤに基づいてチャネル選択信号ＡＣＨが生成される。ここで、自動選択信号発生部５２の構成を図４に示す。
【００２４】
図４において、分離部５１から供給された付加情報ＦＤと情報供給部５４から供給された個人識別コードＩＤはコード照合部６０に供給される。コード照合部６０では、個人識別コードＩＤと付加情報ＦＤの利用者設定コードが照合されて照合結果を示すコード判別信号ＣＳが生成される。このコード判別信号ＣＳはメモリ部６１に供給される。
【００２５】
また、メモリ部６１には時間制御部６２から制御信号ＴＣが供給されており、コード判別信号ＣＳと制御信号ＴＣに基づいてメモリ部６１から読み出されたデータがチャネル選択信号ＡＣＨとして信号切換部５５の端子５５ａに供給される。
【００２６】
信号切換部５５の端子５５ｂは手動選択信号発生部５６と接続されており、この手動選択信号発生部５６には、操作部５７が接続される。この操作部５７では、番組の自動選択と手動選択の切り換えやチャネル切換操作が行われる。ここで、チャネル切換操作が行われると、操作部５７から手動選択信号発生部５６にチャネル切換操作に応じた操作信号ＣＣが供給される。手動選択信号発生部５６では、操作信号ＣＣに基づいてチャネル選択信号ＭＣＨが生成されて、信号切換部５５の端子５５ｂに供給される。
【００２７】
また操作部５７で番組の自動選択が選択されると、操作部５７から信号切換部５５に供給される切換制御信号ＡＭによって、信号切換部５５の可動端子５５ｃは端子５５ａ側とされてチャネル選択信号ＡＣＨが信号選択部５３に供給される。また、番組の手動選択が選択されると可動端子５５ｃは端子５５ｂ側とされてチャネル選択信号ＭＣＨが信号選択部５３に供給される。
【００２８】
信号選択部５３では、チャネル選択信号ＡＣＨあるいはチャネル選択信号ＭＣＨに基づいて、分離部５１から供給された複数の放送信号ＨＳより１つの放送信号が選択されて出力される。
【００２９】
次に動作について説明する。放送局側からは、例えばニュース番組、株式情報番組、料理番組、趣味に関する番組の放送信号や、１つの番組を複数の方向から撮影したマルチシーンの放送信号等が番組に応じた受信者を設定するための利用者設定コードと共に送出される。さらに放送局側からは、受信者の個人情報、例えば年齢、職業、家族構成や趣味等に基づいて個人識別コードが設定されて受信者に供給される。
【００３０】
ここで、放送局側から供給された個人識別コードを受信者側で情報供給部５４に入力すると、この個人識別コードと利用者設定コードが照合されて選択可能な放送信号が決定される。さらに、時間制御部からの制御信号に基づき選択される放送信号の優先順位が決定されて、例えば朝あるいは夕方にはニュース番組が優先して自動的に選択され、昼間には料理番組、夜間には趣味に合った番組が選択される。
【００３１】
また、操作部５７を操作して切換制御信号ＡＭに基づいて信号切換部５５の可動端子５５ｃを端子５５ｂとし、操作部５７からの操作信号ＣＣに基づくチャネル選択信号ＭＣＨを信号選択部５３に供給すれば、操作部５７によって信号選択部５３に供給された複数の放送信号ＨＳを任意に選択することもできる。
【００３２】
さらに、コード判別信号ＣＳと制御信号ＴＣに基づいて選択可能な放送信号およびこの放送信号の優先順位を決定し、操作部５７からの操作信号ＣＣに基づいてこの放送信号を選択するものとしてもよい。
【００３３】
なお、この個人識別コードＩＤ、個人識別コードＩＤを照合して得られたコード判別信号ＣＳと制御信号ＴＣに基づいてチャネル選択信号ＡＣＨを出力するメモリ部６１は、放送局側に申し出ることにより変更できるものである。このため、受信者側の要望に応じて、選択される番組を変更することもできる。
【００３４】
このように、上述の実施の形態によれば、多数の信号の中から必要とする信号、あるいは必要とされる信号を容易に選択することができるので、信号の選択操作を簡便とすることができる。なお、上述の実施の形態では放送信号を選択するものとしたが、選択する信号は放送信号に限られるものではなく、他の情報信号であってもよいことは勿論である。
【００３５】
【発明の効果】
この発明によれば、送信されてくる情報信号の付加情報と与えられた個別情報を照合して選択する番組を設定するためのチャネル選択信号を発生し、このチャネル選択信号に基づき、送信されてくる複数の情報信号から個別情報に応じた情報信号が選択される。このため、多数の情報信号の中から必要な情報信号を容易に選択することができる。
【００３６】
また、個別情報は識別コードで供給されるので、識別コードを例えばカードリーダー等で読み取らせるものとすれば、選択される番組を容易に設定することができる。さらに個別情報を変更手段で変更できるので、選択される番組を容易に変更することもできる。
【００３７】
また、手動選択信号発生手段では手動によってチャネル選択信号を発生することができるので、複数の情報信号を順次選択することもできる。
【図面の簡単な説明】
【図１】信号送信装置の構成を示す図である。
【図２】ＩＳＤＢの信号フォーマットを示す図である。
【図３】この発明に係る信号選択装置の構成を示す図である。
【図４】自動選択信号発生部５２の構成を示す図である。
【符号の説明】
１２-1，１２-2，〜１２-n・・・符号化部、１３-1，１３-2，〜１３-n・・・付加情報発生部、２０・・・多重化部、２１・・・信号変調部、２２・・・アップコンバータ、２３・・・送信アンテナ、３１・・・受信アンテナ、３２・・・ダウンコンバータ、３３・・・ＩＳＤＢ用チューナ、３４・・・信号復調部、５１・・・分離部、５２・・・自動選択信号発生部、５３・・・信号選択部、５４・・・情報供給部、５５・・・信号切換部、５６・・・手動選択信号発生部、５７・・・操作部
【図１】
0003864445.tif 000002
【図２】
0003864445.tif 000003
【図３】
0003864445.tif 000004
【図４】
0003864445.tif 000005